(57)【特許請求の範囲】
【請求項１】
データをｎ個のデータセットに分割することであって、ｎが２以上である、分割することと、
１つのフルセットの伝送のリソースのセット内で前記データセットの各々を送信するためのホッピングパターンに基づいて、リソース識別子に関連付けられたｎ個の異なるリソースを選択することであって、前記選択されたｎ個のリソースが、前記リソース識別子以外のリソース識別子に関連付けられたリソースと時間的に重複しない、前記ｎ個のリソースのうちの少なくとも１つのリソースが存在するようなホッピングパターンを有する、選択することと、
前記１つのフルセットの伝送内のｍ個の伝送内でｍ個の選択されたリソース上でｍ個のデータセットを送信することであって、ｍがｎ以下である、送信することとを備え、ここにおいて、前記データがピア発見データであり、前記伝送がピア発見伝送であり、前記リソース識別子がピア発見リソース識別子であり、ここにおいて、前記選択されたｎ個のリソースの各々のサブキャリアは、前記リソース識別子とサブキャリアの総数との関数であり、および、前記選択されたｎ個のリソースの各々のセグメントは、前記リソース識別子と前記サブキャリアの総数との関数である、ワイヤレス通信の方法。
【請求項２】
前記選択されたｎ個のリソースが、前記リソース識別子以外のリソース識別子に関連付けられたリソースと時間的に重複しない、前記ｎ個のリソースのうちのｎ−Ｋ個のリソースが存在するようなホッピングパターンを有し、Ｋが１以上の整数である、請求項１に記載の方法。
【請求項３】
ＫがＮSK-1＜ＮT≦ＮSKであるように定義され、ＮSがセグメントの総数であり、ＮTが前記サブキャリアの総数である、請求項２に記載の方法。
【請求項４】
ＮSがｐmに等しく、ｐが素数であり、ｍが正の整数である、請求項３に記載の方法。
【請求項５】
前記ｎ個のリソースの各々が、前記１つのフルセットのピア発見伝送専用のリソース内のｎ個のマクロブロックのうちの異なるマクロブロック内で選択され、前記リソースの各々が、複数の直交周波数分割多重（ＯＦＤＭ）シンボルを備える、請求項１に記載の方法。
【請求項６】
ｍがｎ−１に等しく、前記送信することが、第２〜第ｎのマクロブロック内の前記リソース上でｎ−１個のデータセットを送信することを備え、前記方法が、
第１のマクロブロック内の前記リソース上で第１のデータセットを送信することを控えることと、
前記第１のマクロブロック内に送信されたピア発見信号をリッスンすることとをさらに備える、請求項５に記載の方法。
【請求項７】
前記第１のマクロブロック内で受信された前記ピア発見信号に基づいて、ピア発見用に使用する前記リソースを決定することをさらに備える、請求項６に記載の方法。
【請求項８】
データをｎ個のデータセットに分割するための手段であって、ｎが２以上である、手段と、
１つのフルセットの伝送のリソースのセット内で前記データセットの各々を送信するためのホッピングパターンに基づいて、リソース識別子に関連付けられたｎ個の異なるリソースを選択するための手段であって、前記選択されたｎ個のリソースが、前記リソース識別子以外のリソース識別子に関連付けられたリソースと時間的に重複しない、前記ｎ個のリソースのうちの少なくとも１つのリソースが存在するようなホッピングパターンを有する、手段と、
前記１つのフルセットの伝送内のｍ個の伝送内でｍ個の選択されたリソース上でｍ個のデータセットを送信するための手段であって、ｍがｎ以下である、手段とを備え、ここにおいて、前記データがピア発見データであり、前記伝送がピア発見伝送であり、前記リソース識別子がピア発見リソース識別子であり、ここにおいて、前記選択されたｎ個のリソースの各々のサブキャリアは、前記リソース識別子とサブキャリアの総数との関数であり、および、前記選択されたｎ個のリソースの各々のセグメントは、前記リソース識別子と前記サブキャリアの総数との関数である、ワイヤレス通信用の装置。
【請求項９】
前記選択されたｎ個のリソースが、前記リソース識別子以外のリソース識別子に関連付けられたリソースと時間的に重複しない、前記ｎ個のリソースのうちのｎ−Ｋ個のリソースが存在するようなホッピングパターンを有し、Ｋが１以上の整数である、請求項８に記載の装置。
【請求項１０】
ＫがＮSK-1＜ＮT≦ＮSKであるように定義され、ＮSがセグメントの総数であり、ＮTが前記サブキャリアの総数である、請求項９に記載の装置。
【請求項１１】
ＮSがｐmに等しく、ｐが素数であり、ｍが正の整数である、請求項１０に記載の装置。
【請求項１２】
前記ｎ個のリソースの各々が、前記１つのフルセットのピア発見伝送専用のリソース内のｎ個のマクロブロックのうちの異なるマクロブロック内で選択され、前記リソースの各々が、複数の直交周波数分割多重（ＯＦＤＭ）シンボルを備える、請求項８に記載の装置。
【請求項１３】
ｍがｎ−１に等しく、前記送信するための手段が、第２〜第ｎのマクロブロック内の前記リソース上でｎ−１個のデータセットを送信し、前記装置が、
第１のマクロブロック内の前記リソース上で第１のデータセットを送信することを控えるための手段と、
前記第１のマクロブロック内に送信されたピア発見信号をリッスンするための手段とをさらに備える、請求項１２に記載の装置。
【請求項１４】
前記第１のマクロブロック内で受信された前記ピア発見信号に基づいて、ピア発見用に使用する前記リソースを決定するための手段をさらに備える、請求項１３に記載の装置。
【請求項１５】
データをｎ個のデータセットに分割することであって、ｎが２以上である、分割することと、
１つのフルセットの伝送のリソースのセット内で前記データセットの各々を送信するためのホッピングパターンに基づいて、リソース識別子に関連付けられたｎ個の異なるリソースを選択することであって、前記選択されたｎ個のリソースが、前記リソース識別子以外のリソース識別子に関連付けられたリソースと時間的に重複しない、前記ｎ個のリソースのうちの少なくとも１つのリソースが存在するようなホッピングパターンを有する、選択することと、
前記１つのフルセットの伝送内のｍ個の伝送内でｍ個の選択されたリソース上でｍ個のデータセットを送信することであって、ｍがｎ以下である、送信することとを行うためのコードを備え、ここにおいて、前記データがピア発見データであり、前記伝送がピア発見伝送であり、前記リソース識別子がピア発見リソース識別子であり、ここにおいて、前記選択されたｎ個のリソースの各々のサブキャリアは、前記リソース識別子とサブキャリアの総数との関数であり、および、前記選択されたｎ個のリソースの各々のセグメントは、前記リソース識別子と前記サブキャリアの総数との関数である、コンピュータプログラム。
【請求項１６】
前記選択されたｎ個のリソースが、前記リソース識別子以外のリソース識別子に関連付けられたリソースと時間的に重複しない、前記ｎ個のリソースのうちのｎ−Ｋ個のリソースが存在するようなホッピングパターンを有し、Ｋが１以上の整数である、請求項１５に記載のコンピュータプログラム。
【請求項１７】
ＫがＮSK-1＜ＮT≦ＮSKであるように定義され、ＮSがセグメントの総数であり、ＮTが前記サブキャリアの総数である、請求項１６に記載のコンピュータプログラム。
【請求項１８】
ＮSがｐmに等しく、ｐが素数であり、ｍが正の整数である、請求項１７に記載のコンピュータプログラム。
【請求項１９】
前記ｎ個のリソースの各々が、前記１つのフルセットのピア発見伝送専用のリソース内のｎ個のマクロブロックのうちの異なるマクロブロック内で選択され、前記リソースの各々が、複数の直交周波数分割多重（ＯＦＤＭ）シンボルを備える、請求項１５に記載のコンピュータプログラム。
【請求項２０】
ｍがｎ−１に等しく、前記送信するためのコードが、第２〜第ｎのマクロブロック内の前記リソース上でｎ−１個のデータセットを送信し、前記コンピュータプログラムが、
第１のマクロブロック内の前記リソース上で第１のデータセットを送信することを控えることと、
前記第１のマクロブロック内に送信されたピア発見信号をリッスンすることとを行うためのコードをさらに備える、請求項１９に記載のコンピュータプログラム。
【請求項２１】
前記コンピュータプログラムが、前記第１のマクロブロック内で受信された前記ピア発見信号に基づいて、ピア発見用に使用する前記リソースを決定するためのコードをさらに備える、請求項２０に記載のコンピュータプログラム。
【請求項２２】
データをｎ個のデータセットに分割することであって、ｎが２以上である、分割することと、
１つのフルセットの伝送のリソースのセット内で前記データセットの各々を送信するためのホッピングパターンに基づいて、リソース識別子に関連付けられたｎ個の異なるリソースを選択することであって、前記選択されたｎ個のリソースが、前記リソース識別子以外のリソース識別子に関連付けられたリソースと時間的に重複しない、前記ｎ個のリソースのうちの少なくとも１つのリソースが存在するようなホッピングパターンを有する、選択することと、
前記１つのフルセットの伝送内のｍ個の伝送内でｍ個の選択されたリソース上でｍ個のデータセットを送信することであって、ｍがｎ以下である、送信することとを行うように構成された処理システムを備え、ここにおいて、前記データがピア発見データであり、前記伝送がピア発見伝送であり、前記リソース識別子がピア発見リソース識別子であり、ここにおいて、前記選択されたｎ個のリソースの各々のサブキャリアは、前記リソース識別子とサブキャリアの総数との関数であり、および、前記選択されたｎ個のリソースの各々のセグメントは、前記リソース識別子と前記サブキャリアの総数との関数である、ワイヤレス通信用の装置。
【請求項２３】
前記選択されたｎ個のリソースが、前記リソース識別子以外のリソース識別子に関連付けられたリソースと時間的に重複しない、前記ｎ個のリソースのうちのｎ−Ｋ個のリソースが存在するようなホッピングパターンを有し、Ｋが１以上の整数である、請求項２２に記載の装置。
【請求項２４】
ＫがＮSK-1＜ＮT≦ＮSKであるように定義され、ＮSがセグメントの総数であり、ＮTが前記サブキャリアの総数である、請求項２３に記載の装置。
【請求項２５】
ＮSがｐmに等しく、ｐが素数であり、ｍが正の整数である、請求項２４に記載の装置。
【請求項２６】
前記ｎ個のリソースの各々が、前記１つのフルセットのピア発見伝送専用のリソース内のｎ個のマクロブロックのうちの異なるマクロブロック内で選択され、前記リソースの各々が、複数の直交周波数分割多重（ＯＦＤＭ）シンボルを備える、請求項２２に記載の装置。
【請求項２７】
ｍがｎ−１に等しく、前記処理システムが、第２〜第ｎのマクロブロック内の前記リソース上でｎ−１個のデータセットを送信するように構成され、前記処理システムが、
第１のマクロブロック内の前記リソース上で第１のデータセットを送信することを控えることと、
前記第１のマクロブロック内に送信されたピア発見信号をリッスンすることとを行うように構成された、請求項２６に記載の装置。
【請求項２８】
前記処理システムが、前記第１のマクロブロック内で受信された前記ピア発見信号に基づいて、ピア発見用に使用する前記リソースを決定するようにさらに構成された、請求項２７に記載の装置。
【発明の詳細な説明】
【技術分野】
【０００１】
本開示は、一般に通信システムに関し、より詳細には、直交周波数分割多重（ＯＦＤＭ）のピア発見に関する。
【背景技術】
【０００２】
ワイヤレスワイドエリアネットワーク（ＷＷＡＮ）では、ワイヤレスデバイスとサービング基地局との間のすべての通信は、ワイヤレスデバイスとサービング基地局との間のアップリンクチャネル／ダウンリンクチャネルを介する。２つの通信中のワイヤレスデバイスが互いの近傍にある場合、２つのワイヤレスデバイスは基地局を経由せずに直接通信することができる。そのような直接のピアツーピア通信により、新しいタイプのサービスが可能になり、基地局上のトラフィック負荷が軽減される。
【０００３】
ピアツーピア通信を可能にするために、互いの近傍にあるワイヤレスデバイスは、ピア発見信号を送信することによって、ピア発見に周期的に関与することができる。ＷＷＡＮシステム内でピア発見を可能にするための方法が必要とされる。
【発明の概要】
【０００４】
本開示の一態様では、ワイヤレス通信の方法は、データをｎ個のデータセットに分割することを含み、ここでｎは２以上である。加えて、方法は、１つのフルセットの伝送のリソースのセット内でデータセットの各々を送信するためのホッピングパターンに基づいて、リソース識別子に関連付けられたｎ個の異なるリソースを選択することを含む。選択されたｎ個のリソースは、前記リソース識別子以外のリソース識別子に関連付けられたリソースと時間的に重複しない、ｎ個のリソースのうちの少なくとも１つのリソースが存在するようなホッピングパターンを有する。さらに、方法は、１つのフルセットの伝送内のｍ個の伝送内でｍ個の選択されたリソース上でｍ個のデータセットを送信することを含み、ここでｍはｎ以下である。
【０００５】
本開示の一態様では、ワイヤレス通信用の装置は、データをｎ個のデータセットに分割するための手段を含み、ここでｎは２以上である。装置は、１つのフルセットの伝送のリソースのセット内でデータセットの各々を送信するためのホッピングパターンに基づいて、リソース識別子に関連付けられたｎ個の異なるリソースを選択するための手段をさらに含む。選択されたｎ個のリソースは、前記リソース識別子以外のリソース識別子に関連付けられたリソースと時間的に重複しない、ｎ個のリソースのうちの少なくとも１つのリソースが存在するようなホッピングパターンを有する。装置は、１つのフルセットの伝送内のｍ個の伝送内でｍ個の選択されたリソース上でｍ個のデータセットを送信するための手段をさらに含み、ここでｍはｎ以下である。
【０００６】
本開示の一態様では、コンピュータプログラム製品はコンピュータ可読媒体を含む。コンピュータ可読媒体は、データをｎ個のデータセットに分割するためのコードを含み、ここでｎは２以上である。コンピュータ可読媒体は、１つのフルセットの伝送のリソースのセット内でデータセットの各々を送信するためのホッピングパターンに基づいて、リソース識別子に関連付けられたｎ個の異なるリソースを選択するためのコードをさらに含む。選択されたｎ個のリソースは、前記リソース識別子以外のリソース識別子に関連付けられたリソースと時間的に重複しない、ｎ個のリソースのうちの少なくとも１つのリソースが存在するようなホッピングパターンを有する。コンピュータ可読媒体は、１つのフルセットの伝送内のｍ個の伝送内でｍ個の選択されたリソース上でｍ個のデータセットを送信するためのコードをさらに含み、ここでｍはｎ以下である。
【０００７】
本開示の一態様では、ワイヤレス通信用の装置は処理システムを含む。処理システムは、データをｎ個のデータセットに分割するように構成され、ここでｎは２以上である。処理システムは、１つのフルセットの伝送のリソースのセット内でデータセットの各々を送信するためのホッピングパターンに基づいて、リソース識別子に関連付けられたｎ個の異なるリソースを選択するようにさらに構成される。選択されたｎ個のリソースは、前記リソース識別子以外のリソース識別子に関連付けられたリソースと時間的に重複しない、ｎ個のリソースのうちの少なくとも１つのリソースが存在するようなホッピングパターンを有する。処理システムは、１つのフルセットの伝送内のｍ個の伝送内でｍ個の選択されたリソース上でｍ個のデータセットを送信するようにさらに構成され、ここでｍはｎ以下である。
【図面の簡単な説明】
【０００８】
【図１】処理システムを使用する装置のためのハードウェア実装形態の一例を示す図。
【図２】ワイヤレスピアツーピア通信システムの図。
【図３】ワイヤレスデバイス間のピアツーピア通信について例示的な時間構造を示す図。
【図４】１つのグランドフレーム内のスーパーフレームの各フレーム内のチャネルを示す図。
【図５】種々のチャネルの動作タイムラインとピア発見チャネルの構造とを示す図。
【図６】例示的なアップリンクＷＷＡＮのリソースを示す図。
【図７】複数のワイヤレスデバイスを示す図。
【図８】図５に関して説明されたピア発見チャネルの構造を示す図。
【図９】ピア発見チャネルの例示的な構造を示す図。
【図１０】例示的なホッピングパターンを示すための図。
【図１１】例示的な方法を示すための図。
【図１２】ピア発見チャネルの例示的な構造用の例示的なパラメータを示す表。
【図１３】ワイヤレス通信の方法のフローチャート。
【図１４】ワイヤレス通信の別の方法のフローチャート。
【図１５】例示的な装置の機能を示す概念ブロック図。
【発明を実施するための形態】
【０００９】
添付の図面とともに以下で説明される、発明を実施するための形態は、様々な構成を説明するものであり、本明細書に記載された概念を実践できる唯一の構成を表すものではない。発明を実施するための形態は、様々な概念の完全な理解を与えるための具体的な詳細を含む。しかしながら、これらの概念はこれらの具体的な詳細なしに実践できることが、当業者には明らかであろう。いくつかの例では、そのような概念を不明瞭にしないように、よく知られている構造および構成要素がブロック図の形式で示される。
【００１０】
次に、様々な装置および方法に関して、通信システムのいくつかの態様が提示される。これらの装置および方法は、以下の発明を実施するための形態において記載され、（「要素」と総称される）様々なブロック、モジュール、構成要素、回路、ステップ、プロセス、アルゴリズムなどにより添付の図面において図示される。これらの要素は、電子ハードウェア、コンピュータソフトウェア、またはそれらの任意の組合せを使用して実装することができる。そのような要素がハードウェアとして実装されるか、またはソフトウェアとして実装されるかは、特定の適用例および全体的なシステムに課せられた設計制約に依存する。
【００１１】
例として、要素、または要素の任意の部分、または要素の任意の組合せは、１つまたは複数のプロセッサを含む「処理システム」を用いて実装することができる。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって記載される様々な機能を実行するように構成された他の適切なハードウェアが含まれる。処理システム内の１つまたは複数のプロセッサは、ソフトウェアを実行することができる。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されたい。ソフトウェアはコンピュータ可読媒体に常駐することができる。コンピュータ可読媒体は、非一時的コンピュータ可読媒体であり得る。非一時的コンピュータ可読媒体には、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびに、コンピュータによってアクセスされ読み取ることができるソフトウェアおよび／または命令を記憶するための任意の他の適切な媒体が含まれる。コンピュータ可読媒体は、処理システム内に常駐するか、処理システムの外部にあるか、または処理システムを含む複数のエンティティにわたって分散することができる。コンピュータ可読媒体は、コンピュータプログラム製品内で具現化することができる。例として、コンピュータプログラム製品は、パッケージング材料内にコンピュータ可読媒体を含むことができる。
【００１２】
したがって、１つまたは複数の例示的な実施形態では、記載される機能は、ハードウェア、ソフトウェア、ファームウェア、またはそれらの任意の組合せに実装することができる。ソフトウェアに実装された場合、機能は、コンピュータ可読媒体に記憶するか、またはコンピュータ可読媒体に１つもしくは複数の命令もしくはコードとして符号化することができる。コンピュータ可読媒体はコンピュータ記憶媒体を含む。記憶媒体は、コンピュータによってアクセスできる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または、命令もしくはデータ構造の形態で所望のプログラムコードを搬送もしくは記憶するために使用でき、コンピュータによってアクセスできる任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含められるべきである。当業者は、特定の適用例および全体的なシステムに課せられた全体的な設計制約に応じて、本開示全体にわたって提示される記載の機能を、どのようにしたら最も良く実装できるかを認識されよう。
【００１３】
図１は、処理システム１１４を使用する装置１００のためのハードウェア実装形態の一例を示す概念図である。処理システム１１４は、バス１０２によって概略的に表されるバスアーキテクチャを用いて実装することができる。バス１０２は、処理システム１１４の特定の適用例および全体的な設計制約に応じて、任意の数の相互接続バスおよびブリッジを含むことができる。バス１０２は、プロセッサ１０４によって概略的に表される１つまたは複数のプロセッサおよび／またはハードウェアモジュールと、コンピュータ可読媒体１０６によって概略的に表されるコンピュータ可読媒体とを含む様々な回路を互いにリンクする。バス１０２はまた、タイミングソース、周辺機器、電圧調整器、および電力管理回路などの様々な他の回路をリンクできるが、これらの回路は当技術分野においてよく知られており、したがって、これ以上記載されない。バスインターフェース１０８は、バス１０２とトランシーバ１１０との間のインターフェースを提供する。トランシーバ１１０は、伝送媒体を介して様々な他の装置と通信するための手段を提供する。
【００１４】
プロセッサ１０４は、バス１０２を管理することと、コンピュータ可読媒体１０６に記憶されたソフトウェアの実行を含む一般的な処理とを担当する。ソフトウェアは、プロセッサ１０４によって実行されたとき、処理システム１１４に、任意の特定の装置のための以下に記載される様々な機能を実行させる。コンピュータ可読媒体１０６はまた、ソフトウェアを実行するときにプロセッサ１０４によって操作されるデータを記憶するために使用することができる。
【００１５】
図２は、例示的なピアツーピア通信システム２００の図である。ピアツーピア通信システム２００は、複数のワイヤレスデバイス２０６、２０８、２１０、２１２を含む。ピアツーピア通信システム２００は、セルラー通信システム、たとえばＷＷＡＮと重なる場合がある。ワイヤレスデバイス２０６、２０８、２１０、２１２の一部はピアツーピア通信において互いに通信し、一部は基地局２０４と通信し、一部は両方を行う場合がある。たとえば、図２に示されたように、ワイヤレスデバイス２０６、２０８はピアツーピア通信中であり、ワイヤレスデバイス２１０、２１２はピアツーピア通信中である。ワイヤレスデバイス２１２は基地局２０４とも通信している。
【００１６】
ワイヤレスデバイスは、代替的に、当業者によって、ユーザ機器、移動局、加入者局、モバイルユニット、加入者ユニット、ワイヤレスユニット、ワイヤレスノード、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合がある。基地局は、代替的に、当業者によって、アクセスポイント、トランシーバ基地局、無線基地局、無線トランシーバ、トランシーバ機能、基本サービスセット（ＢＳＳ）、拡張サービスセット（ＥＳＳ）、ノードＢ、発展型ノードＢ、または何らかの他の適切な用語で呼ばれる場合がある。
【００１７】
以下に記載される例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ、またはＩＥＥＥ８０２．１１規格に基づくＷｉ−Ｆｉに基づくワイヤレスピアツーピア通信システムなどの様々なワイヤレスピアツーピア通信システムのいずれにも適用可能である。説明を簡略化するために、例示的な方法および装置はＦｌａｓｈＬｉｎＱの文脈内で説明される。しかしながら、例示的な方法および装置は、より一般的に、様々な他のワイヤレスピアツーピア通信システムに適用可能であることを当業者は理解されよう。
【００１８】
図３は、ワイヤレスデバイス１００間のピアツーピア通信について例示的な時間構造を示す図３００である。ウルトラフレームは５１２秒であり、６４個のメガフレームを含む。各メガフレームは８秒であり、８個のグランドフレームを含む。各グランドフレームは１秒であり、１５個のスーパーフレームを含む。各スーパーフレームは約６６．６７ミリ秒であり、３２個のフレームを含む。各フレームは２．０８３３ミリ秒である。
【００１９】
図４は、１つのグランドフレーム内のスーパーフレームの各フレーム内のチャネルを示す図３１０である。（インデックス０付きの）第１のスーパーフレーム内では、フレーム０は予約済みチャネル（ＲＣＨ）であり、フレーム１〜１０は各々諸チャネル（ＭＣＣＨ）であり、フレーム１１〜３１は各々トラフィックチャネル（ＴＣＣＨ）である。（インデックス１：６付きの）第２〜第７のスーパーフレーム内では、フレーム０はＲＣＨであり、フレーム１〜３１は各々ＴＣＣＨである。（インデックス７付きの）第８のスーパーフレーム内では、フレーム０はＲＣＨであり、フレーム１〜１０は各々ＭＣＣＨであり、フレーム１１〜３１は各々ＴＣＣＨである。（インデックス８：１４付きの）第９〜第１５のスーパーフレーム内では、フレーム０はＲＣＨであり、フレーム１〜３１は各々ＴＣＣＨである。スーパーフレームインデックス０のＭＣＣＨは、二次タイミング同期チャネルと、ピア発見チャネルと、ピアページチャネルと、予約済みスロットとを含む。スーパーフレームインデックス７のＭＣＣＨは、ピアページチャネルと予約済みスロットとを含む。ＴＣＣＨは、接続スケジューリングと、パイロットと、チャネル品質インジケータ（ＣＱＩ）フィードバックと、データセグメントと、肯定応答（ＡＣＫ）とを含む。
【００２０】
図５は、ＭＣＣＨの動作タイムラインとピア発見チャネルの例示的な構造とを示す図３２０である。図４に関して説明されたように、スーパーフレームインデックス０のＭＣＣＨは、二次タイミング同期チャネルと、ピア発見チャネルと、ピアページングチャネルと、予約済みスロットとを含む。ピア発見チャネルはサブチャネルに分割することができる。たとえば、ピア発見チャネルは、長距離ピア発見チャネルと、中距離ピア発見チャネルと、短距離ピア発見チャネルと、他のチャネルとに分割することができる。サブチャネルの各々は、ピア発見情報を通信するための複数のブロック／リソースを含むことができる。各ブロックは、同じサブキャリアで複数のＯＦＤＭシンボル（たとえば、７２個のリソース要素）を含むことができる。図５は、グランドフレーム０〜７のＭＣＣＨサブフレームインデックス０を含む１つのメガフレーム内のブロックを含むサブチャネル（たとえば、短距離ピア発見チャネル）の一例を提供する。１つのメガフレームは１つのピア発見バーストと考えることができる。様々なセットのブロックは、様々なピア発見リソース識別子（ＰＤＲＩＤ）に対応する。たとえば、１つのＰＤＲＩＤは、メガフレーム内の１つのグランドフレームのＭＣＣＨスーパーフレームインデックス０内のブロックのうちの１つに対応することができる。
【００２１】
電源投入すると、ワイヤレスデバイスは、ある時間期間（たとえば、２つのメガフレーム）の間ピア発見チャネルをリッスンし、ＰＤＲＩＤの各々で決定されたエネルギーに基づいてＰＤＲＩＤを選択する。たとえば、ワイヤレスデバイスは、ウルトラフレームの第１のメガフレーム内のブロック３２２（ｉ＝２およびｊ＝１５）に対応するＰＤＲＩＤを選択することができる。特定のＰＤＲＩＤは、ホッピングに起因して、ウルトラフレームの他のメガフレーム内の他のブロックにマッピングすることができる。選択されたＰＤＲＩＤに関連付けられたブロック内では、ワイヤレスデバイスはそのピア発見信号を送信する。選択されたＰＤＲＩＤに関連付けられていないブロック内では、ワイヤレスデバイスは、他のワイヤレスデバイスによって送信されたピア発見信号をリッスンする。ピア発見信号は、どのワイヤレスデバイスがピアツーピア通信リンクを形成すべきかをユーザが判定することを可能にする特有の式を含むことができる。
【００２２】
図６は、例示的なアップリンクＷＷＡＮのリソースを示す図４００である。図６は、エボリューションデータオプティマイズド／オンリー（ＥＶ−ＤＯ）システム用のアップリンクＷＷＡＮのリソースと、特にＣＤＭＡ２０００システム内のＥＶ−ＤＯ無信号間隔とを示すが、例示的な方法は、アップリンクまたはダウンリンクのいずれかで既定の無信号期間を有するシステム、ならびに、グローバルシステムフォアモバイルコミュニケーション（ＧＳＭ（登録商標））、ロングタームエボリューション（ＬＴＥ）時分割複信（ＴＤＤ）、パーソナルハンディフォンシステム（ＰＨＳ）、パーソナルデジタルセルラー（ＰＤＣ）、デジタルエンハンスドコードレステレコミュニケーション（ＤＥＣＴ）、および（デジタルＡＭＰＳ（Ｄ−ＡＭＰＳ）として知られる）ＩＳ−５４／ＩＳ−１３６などの時分割多元接続（ＴＤＭＡ）ベースのシステムなどの他のシステムにも適用可能である。たとえば、例示的な方法は、ＧＭＳまたはＬＴＥ  ＴＤＤのシステム内の特定の時間スロット内で利用することができる。（以前１ｘＥＶ−ＤＯとして知られていた）ＥＶ−ＤＯは、無線信号を介したデータのワイヤレス送信のための電気通信規格である。ＥＶ−ＤＯはＣＤＭＡ２０００規格ファミリーの一部である。ＥＶ−ＤＯは、個々のユーザのスループットとシステム全体のスループットの両方を最大化するために、ＣＤＭＡおよび時分割多元接続（ＴＤＭＡ）などの多重化技法を使用する。ＥＶ−ＤＯチャネルは１．２５ＭＨｚの帯域幅を有する。ＥＶ−ＤＯシステムでは、５４秒ごとに８０ミリ秒の無信号間隔が存在し、その中でＥＶ−ＤＯデバイスは、アップリンク内の送信を停止して、基地局がバックグラウンドの干渉およびノイズの電力を測定することを可能にするように要求される。周期的（または反復的）な８０ミリ秒の無信号間隔４０２は、３つの連続するフレームを含み、それらの各々は約２６．６６ミリ秒（すなわち、８０／３ミリ秒）である。例示的な方法では、基地局は、ピア発見に無信号間隔４０２を割り当て、したがって、ワイヤレスデバイスがピア発見用の無信号間隔４０２を利用することが可能になる。ＷＷＡＮ内のＷＷＡＮ通信に干渉をもたらすことを回避するために、ワイヤレスデバイスは、図５で説明されたように、各メガフレーム内で８秒ごとに割り当てられたリソースのセットではなく、ピア発見用の無信号間隔４０２を利用することができる。
【００２３】
一構成では、基地局は、無信号間隔の１つまたは複数のフレームを利用して、バックグラウンドの干渉とノイズとを測定する。たとえば、基地局は、無信号間隔４０２のフレーム４０４を利用することができる。そのため、ＥＶ−ＤＯの無信号間隔４０２は、リソースの第１のサブセット４０４とリソースの第２のサブセット４０６とを含むことができる。リソースの第１のサブセット４０４は、ノイズを測定するためにサービング基地局によって利用することができ、リソースの第２のサブセット４０６は、ノイズを測定するために基地局によって利用されず、ピア発見のためにワイヤレスデバイスに割り当てられる。そのため、ピア発見に割り当てられたＥＶ−ＤＯの無信号間隔リソースを使用するワイヤレスデバイスは、リソース４０６を利用することができる。
【００２４】
図７は、複数のワイヤレスデバイスを示す図５００である。半二重システムにより、通信を受けることおよび通信を送ることが可能になるが、一度に一方のみである。そのため、半二重制約下で動作するワイヤレスデバイスは、通信を受けることおよび通信を送ることができるが、通信を受けながら通信を送ること、および通信を送りながら通信を受けることはできない。図７に示されたように、ＰＤＲＩＤ１〜５に関連付けられたワイヤレスデバイスは、それらのピア発見信号を同時に送信することができる。ＰＤＲＩＤ６に関連付けられたワイヤレスデバイスは、そのピア発見信号を送信していない。ワイヤレスデバイスの半二重性に起因して、ＰＤＲＩＤ１〜５に関連付けられたワイヤレスデバイスは、互いを発見することができず、ＰＤＲＩＤ６に関連付けられたワイヤレスデバイスは、ＰＤＲＩＤ１〜５に関連付けられたワイヤレスデバイスを発見することができる。
【００２５】
図８は、図５に関して説明されたピア発見チャネルの構造を示す図である。１つのピア発見バーストは、メガフレーム内のピア発見リソースのすべてを含み、ワイヤレスデバイスごとに１つのピア発見伝送を割り当てる。この特定のピア発見バーストの場合、ＰＤＲＩＤ１〜５に関連付けられたワイヤレスデバイスは、それらのピア発見用に現在のリソースを割り当てられる。そのため、それらのワイヤレスデバイスは、半二重制約のために、ピア発見信号を送信しながら同時にピア発見信号を受信することができないので、特定のピア発見バースト内で互いを発見することができない。上記で説明されたように、割り当てられたリソースは、ピア発見バーストの各々の中で飛び回ることができ、したがって、ＰＤＲＩＤ１〜５に関連付けられたワイヤレスデバイスは、次のピア発見バースト内で互いを発見することが可能になり得る。ピア発見バーストが８秒（すなわち１メガフレーム）ごとに離間される場合、同時ピア発見伝送による発見待ち時間は８秒である。しかしながら、図５で説明されたように、各メガフレーム内の８秒ごとに割り当てられたリソースのセットではなく、無信号間隔４０２がピア発見に使用されたとき、同時ピア発見伝送による発見待ち時間は、無信号間隔４０２間の遅延に等しく、ＥＶ−ＤＯの無信号間隔の場合５４秒である。５４秒の発見待ち時間は、システムのユーザに耐えられないはずである。ＥＶ−ＤＯの無信号間隔内でピア発見を行うことに関係する発見待ち時間問題に対処するピア発見チャネルの例示的な構造が、下記に提供される。
【００２６】
図９は、ピア発見チャネルの例示的な構造を示す図である。図９に示されたように、１つのピア発見バーストはＮB個のマクロブロックに分割され、ここでＮB＞１である。各マクロブロックはＮTトーン／サブキャリアとＮS個のセグメントを有する。そのため、各マクロブロックはＮT＊ＮS個のブロックを有する。各ブロックは、特定のサブキャリアで（ｑ個のリソース要素として示された）複数のＯＦＤＭシンボルを含む。ＰＤＲＩＤがマクロブロックの各々の中の１ブロックに関連付けられた場合、１つのピア発見バーストはＮT＊ＮS個のＰＤＲＩＤをサポートするはずである。任意の特定のＰＤＲＩＤに割り当てられたリソースは、ホッピングパターン
【数１】
0005882459.tif 000002
【数２】
0005882459.tif 000003
【００２７】
によって定義され、ここでセグメントインデックスｉ（ｔ）は式０≦ｉ（ｔ）＜ＮSを満足し、トーン／サブキャリアインデックスｊ（ｔ）は式０≦ｊ（ｔ）＜ＮTを満足し、ｔは０とＮB−１の間のマクロブロックインデックスであり、Ｋは整数でＮSK-1＜ＮT≦ＮSKのように定義され、ａkは式０≦ａk＜ＮS−１を満足し、ＰＤＲＩＤをａ0，ａ1，．．．，ａkに一意にマッピングするＰＤＲＩＤの任意の表現であり、ＮSが素数の累乗でａiとｔがガロア野ＧＦ（ＮS）の要素にマッピングされる場合、（１）の中の合計および積はＧＦ（ＮS）内の和と積の演算として定義され、そうでない場合モジュロ演算の中で定義される。ＰＤＲＩＤの総数はＮT＊ＮSであり、Ｋの定義によるとＮSK+1以下であるが、ＮSKより大きいことに留意されたい。ＮSが素数である場合、任意の２つのＰＤＲＩＤに対して、現在の時間リソースが使用される回数は、Ｋが上限である。
【００２８】
ＮT＜ＮSであるとき、Ｋ＝１である。ＮT＞ＮSであるとき、Ｋ≧２である。ＮSが素数であり、Ｋ＝１であるとき、例示的なホッピングパターンは以下の式によって与えられる。
【数３】
0005882459.tif 000004
【数４】
0005882459.tif 000005
【００２９】
ここでｊ＝ｍｏｄ（ＰＤＲＩＤ，ＮT）であり、ｉ＝（ＰＤＲＩＤ−ｊ）／（ＮTである。ＮSが素数であり、Ｋ＝２であるとき、例示的なホッピングパターンは以下の式によって与えられる。
【数５】
0005882459.tif 000006
【数６】
0005882459.tif 000007
【００３０】
ここでｊ＝ｍｏｄ（ＰＤＲＩＤ，ＮT）であり、ｉ＝（ＰＤＲＩＤ−ｊ）／ＮTである。トーン／サブキャリアインデックスｊ（ｔ）は経時的にランダム化されて、周波数ダイバーシティゲインを利用する。
【００３１】
図１０は、例示的なホッピングパターンを示すための図８００である。Ｋ＝１であるとき、例示的なホッピングパターンは式（３）および（４）によって与えられる。ＮT＝４およびＮS＝５である場合、リソースは２０個のＰＤＲＩＤをサポートする。式ｊ＝ｍｏｄ（ＰＤＲＩＤ、ＮT）および式ｉ＝（ＰＤＲＩＤ−ｊ）／ＮTに基づいて、ＰＤＲＩＤ  ０，１，２，．．．，１９の各々は、ＰＤＲＩＤ（ｉ，ｊ）マッピングテーブルに示されたように（ｉ，ｊ）の値に対応する。たとえば、ＰＤＲＩＤ  ３は値（０，３）に対応し、ＰＤＲＩＤ  １８は値（４，２）に対応する。図１０に示されたように、値／ＰＤＲＩＤは、座標ｉ（ｔ），ｊ（ｔ）にマッピングする。
【００３２】
図１０から明らかなように、４個のマクロブロックが存在するので、ワイヤレスデバイスはデータを４個のデータセットに分割する。ワイヤレスデバイスは、１つのピア発見バースト（すなわち、１つのフルセットの伝送）のリソースのセット内でデータセットの各々を送信するためのホッピングパターンに基づいて、リソース識別子に関連付けられた４個の異なるリソースを選択する。選択された４個のリソースは、前記リソース識別子以外のリソース識別子に関連付けられたリソースと時間的に重複しない、４個のリソースのうちの少なくとも１つのリソースが存在するようなホッピングパターンを有する。たとえば、図１０の例示的なホッピングパターンでは、ＰＤＲＩＤ  ２は、４個のリソースのうちの１個だけＰＤＲＩＤ  １と時間的に重複する（すなわち、同じセグメントである）。同じ関係が他のＰＤＲＩＤの各々について当てはまる。そのため、この特定のホッピングパターンの場合、前記リソース識別子以外のリソース識別子に関連付けられたリソースと時間的に重複しない、４個のリソースのうちの３個のリソースが存在する。時間的に重複しないピア発見バーストごとにいくつかのリソースを提供することによって、ピア発見デバイスは互いを発見することができる。たとえば、ＰＤＲＩＤ  ０、１、２、および３を割り当てられた半二重ワイヤレスデバイスは、第１のマクロブロック内で互いからのピア発見伝送を受信することができないが、第２、第３、および第４のマクロブロック内で互いからのピア発見伝送を受信することができる。ワイヤレスデバイスは、１つのフルセットの伝送内の等しい数の伝送内の等しい数の選択されたリソースでいくつかのデータセットを送信する。たとえば、特定のＰＤＲＩＤを有するワイヤレスデバイスは、マクロブロックの各々の中でデータセットを送信することができ、マクロブロックの１つだけのサブセットの各々の中でデータセットを送信することができる。
【００３３】
図１１は、例示的な方法を示すための図９００である。ワイヤレスデバイスは、特定のピア発見バースト用のマクロブロックの１つだけのサブセットの各々の中でデータセットを送信することができる。たとえば、特定のピア発見バーストの場合、ＰＤＲＩＤ  ２を有するワイヤレスデバイスは、第１のマクロブロック内のリソース上でデータセットを送信することを控え、第１のマクロブロック内で送信されたピア発見信号をリッスンすることができる。ワイヤレスデバイスは、リソースの各々のエネルギーを判定する。判定されたエネルギーに基づいて、新しいＰＤＲＩＤがＰＤＲＩＤ  ２よりも低く判定されたエネルギーを有する場合、ワイヤレスデバイスは新しいＰＤＲＩＤを選択することができる。加えて、ワイヤレスデバイスはＰＤＲＩＤ衝突を検出することができる。ＰＤＲＩＤ衝突は、同じＰＤＲＩＤを使用する別のワイヤレスデバイス、または、衝突検出を誘導するためにＰＤＲＩＤに関連付けられたリソース上で送信する別のワイヤレスデバイスによって引き起こされる可能性がある。半二重制約のために、（たとえば、移動性または同時ＰＤＲＩＤ選択により）偶然同じＰＤＲＩＤを使用することになった２つのワイヤレスデバイスは、それらの割り当てられたリソースのいくつかのサブセットの間リッスンすることなしに、衝突から復元する方法を有することはないはずである。そのため、ワイヤレスデバイスは、第１のマクロブロック内などのその割り当てられたリソース上で送信するのではなく、リッスンし、ＰＤＲＩＤ衝突についてそのリソースを監視することができる。ワイヤレスデバイスがリッスンする割り当てられたリソースは、一意のデバイス識別子に基づいてランダムに選択することができ、遅い時間スケールで（たとえば、４分ごとに１回）選択することができる。ＰＤＲＩＤ衝突は、特定のリソース上のエネルギーに関して、または他のリソース上のエネルギーの比較に関して定義することができる。たとえば、ワイヤレスデバイスがそれ自体のＰＤＲＩＤ上で受信するエネルギーが、すべてのＰＤＲＩＤ上で受信されたエネルギーの１０％よりも大きい場合、ワイヤレスデバイスはＰＤＲＩＤ衝突を検出することができる。
【００３４】
図１２は、ピア発見チャネルの例示的な構造用の例示的なパラメータを示す表１０００である。設計Ｄ１および設計Ｄ２は、各々ピア発見バーストごとに１つだけのマクロブロックを有する。設計Ｄ３、Ｄ４、およびＤ５は、ピア発見バーストごとに複数のマクロブロックを有する。設計は、様々な高速フーリエ変換（ＦＦＴ）のサイズと変調および符号化方式とを含む。設計Ｄ３、Ｄ４、およびＤ５は、半二重制約によって妨げられる設計Ｄ１および設計Ｄ２よりも良好に機能する。
【００３５】
図１３は、ワイヤレス通信の方法のフローチャート１１００である。本方法はワイヤレスデバイスによって実行される。ワイヤレスデバイスはデータをｎ個のデータセットに分割し、ここでｎは２以上である（９０２）。加えて、ワイヤレスデバイスは、１つのフルセットの伝送のリソースのセット内でデータセットの各々を送信するためのホッピングパターンに基づいて、リソース識別子に関連付けられたｎ個の異なるリソースを選択する（９０４）。選択されたｎ個のリソースは、前記リソース識別子以外のリソース識別子に関連付けられたリソースと時間的に重複しない、ｎ個のリソースのうちの少なくとも１つのリソースが存在するようなホッピングパターンを有する（９０４）。さらに、ワイヤレスデバイスは、１つのフルセットの伝送内のｍ個の伝送内でｍ個の選択されたリソース上でｍ個のデータセットを送信し、ここでｍはｎ以下である（９０６）。たとえば、ピア発見バーストがＮB個のマクロブロックを含む場合、ワイヤレスデバイスはデータをＮB個のデータセットに分割し、ホッピングパターンに基づいてＰＤＲＩＤに関連付けられたＮB個の異なるブロックを選択し、ＮB個のブロックのサブセットの各々のブロック上にデータセットを送信する。サブセットはＮB個またはそれより少ないブロックを含む。
【００３６】
一構成では、データはピア発見データであり、伝送はピア発見伝送であり、リソース識別子はピア発見リソース識別子である。選択されたｎ個のリソースは、前記リソース識別子以外のリソース識別子に関連付けられたリソースと時間的に重複しない、ｎ個のリソースのうちのｎ−Ｋ個のリソースが存在するようなホッピングパターンを有することができ、ここでＫは１以上の整数である。値Ｋは、ＮSK-1＜ＮT≦ＮSKであるように定義され、ここでＮSはセグメントの数であり、ＮTはサブキャリアの数である。値ＮSはｐmに等しい場合があり、ここでｐは素数であり、ｍは正の整数である。
【００３７】
図１４は、ワイヤレス通信の別の方法のフローチャート１２００である。一構成では、ｎ個のリソースの各々は、１つのフルセットのピア発見伝送専用のリソース内のｎ個のマクロブロックのうちの異なるマクロブロック内で選択され、リソースの各々は複数のＯＦＤＭシンボルを含む。そのような構成では、ｍはｎ−１に等しく、ワイヤレスデバイスは、第２〜第ｎのマクロブロック内のリソース上でｎ−１個のデータセットを送信する。そのような構成では、ワイヤレスデバイスは、第１のマクロブロック内のリソース上で第１のデータセットを送信することを控え（１００２）、第１のマクロブロック内に送信されたピア発見信号をリッスンする（１００４）。ワイヤレスデバイスはまた、第１のマクロブロック内で受信されたピア発見信号に基づいて、ピア発見用に使用するリソースを決定し得る（１００６）。
【００３８】
図１５は、例示的な装置１００の機能を示す概念ブロック図１３００である。ワイヤレスデバイスであり得る例示的な装置１００は、データをｎ個のデータセットに分割するモジュール１１０２を含み、ここでｎは２以上である。装置１００は、１つのフルセットの伝送のリソースのセット内でデータセットの各々を送信するためのホッピングパターンに基づいて、リソース識別子に関連付けられたｎ個の異なるリソースを選択するモジュール１１０４をさらに含む。選択されたｎ個のリソースは、前記リソース識別子以外のリソース識別子に関連付けられたリソースと時間的に重複しない、ｎ個のリソースのうちの少なくとも１つのリソースが存在するようなホッピングパターンを有する。装置１００は、１つのフルセットの伝送内のｍ個の伝送内でｍ個の選択されたリソース上でｍ個のデータセットを送信するモジュール１１０６をさらに含み、ここでｍはｎ以下である。装置１００は、前述のフローチャート内のステップの各々を実行するさらなるモジュールを含むことができる。そのため、上述のフローチャート内の各ステップは、１つのモジュールによって実行することができ、装置１００は、それらのモジュールのうちの１つまたは複数を含むことができる。
【００３９】
図１を参照すると、一構成では、ワイヤレス通信用の装置１００はワイヤレスデバイスであり、データをｎ個のデータセットに分割するための手段を含み、ここでｎは２以上である。装置１００は、１つのフルセットの伝送のリソースのセット内でデータセットの各々を送信するためのホッピングパターンに基づいて、リソース識別子に関連付けられたｎ個の異なるリソースを選択するための手段をさらに含む。選択されたｎ個のリソースは、前記リソース識別子以外のリソース識別子に関連付けられたリソースと時間的に重複しない、ｎ個のリソースのうちの少なくとも１つのリソースが存在するようなホッピングパターンを有する。装置１００は、１つのフルセットの伝送内のｍ個の伝送内でｍ個の選択されたリソース上でｍ個のデータセットを送信するための手段をさらに含み、ここでｍはｎ以下である。装置１００は、第１のマクロブロック内のリソース上で第１のデータセットを送信することを控えるための手段と、第１のマクロブロック内に送信されたピア発見信号をリッスンするための手段とをさらに含み得る。装置１００は、第１のマクロブロック内で受信されたピア発見信号に基づいて、ピア発見用に使用するリソースを決定するための手段をさらに含み得る。上述の手段は、上述の手段によって列挙された機能を実行するように構成された処理システム１１４である。
【００４０】
開示されたプロセスにおけるステップの特定の順序または階層は、例示的な手法の一例であることを理解されたい。設計上の選好に基づいて、プロセスにおけるステップの特定の順序または階層は、並べ替えることができることを理解されたい。添付の方法クレームは、様々なステップの要素を例示的な順序で提示したものであり、提示された特定の順序または階層に限定されるものではない。
【００４１】
以上の説明は、当業者が本明細書に記載された様々な態様を実践することを可能にするために提供されたものである。これらの態様に対する様々な変更が当業者には容易に明らかであり、本明細書で定義された一般的な原理は他の態様に適用することができる。したがって、特許請求の範囲は、本明細書に示された態様に限定されるものではなく、特許請求の文言に矛盾しない全範囲を与えられるべきであり、単数形の要素への言及は、そのように明記されていない限り、「唯一無二」を意味するものではなく、「１つまたは複数」を意味するものである。別段に明記されていない限り、「いくつか」という語は１つまたは複数を指す。当業者に知られている、または後に知られることになる、本開示全体にわたって記載された様々な態様の要素に対するすべての構造的および機能的な均等物は、参照により本明細書に明確に組み込まれ、特許請求の範囲に包含されるものである。さらに、本明細書に開示されたいかなることも、そのような開示が特許請求の範囲に明示的に列挙されているかどうかにかかわらず、公に供されるものではない。いかなるクレーム要素も、その要素が「ための手段」という語句を使用して明確に列挙されていない限り、または方法クレームの場合には、その要素が「ためのステップ」という語句を使用して列挙されていない限り、米国特許法第１１２条第６項の規定に基づいて解釈されるべきではない。
以下に、本願出願の当初の特許請求の範囲に記載された発明を付記する。
［Ｃ１］  データをｎ個のデータセットに分割することであって、ｎが２以上である、分割することと、
１つのフルセットの伝送のリソースのセット内で前記データセットの各々を送信するためのホッピングパターンに基づいて、リソース識別子に関連付けられたｎ個の異なるリソースを選択することであって、前記選択されたｎ個のリソースが、前記リソース識別子以外のリソース識別子に関連付けられたリソースと時間的に重複しない、前記ｎ個のリソースのうちの少なくとも１つのリソースが存在するようなホッピングパターンを有する、選択することと、
前記１つのフルセットの伝送内のｍ個の伝送内でｍ個の選択されたリソース上でｍ個のデータセットを送信することであって、ｍがｎ以下である、送信することと
を備える、ワイヤレス通信の方法。
［Ｃ２］  前記データがピア発見データであり、前記伝送がピア発見伝送であり、前記リソース識別子がピア発見リソース識別子である、Ｃ１に記載の方法。
［Ｃ３］  前記選択されたｎ個のリソースが、前記リソース識別子以外のリソース識別子に関連付けられたリソースと時間的に重複しない、前記ｎ個のリソースのうちのｎ−Ｋ個のリソースが存在するようなホッピングパターンを有し、Ｋが１以上の整数である、Ｃ１に記載の方法。
［Ｃ４］  ＫがＮSK-1＜ＮT≦ＮSKであるように定義され、ＮSがセグメントの数であり、ＮTがサブキャリアの数である、Ｃ３に記載の方法。
［Ｃ５］  ＮSがｐmに等しく、ｐが素数であり、ｍが正の整数である、Ｃ４に記載の方法。
［Ｃ６］  前記ｎ個のリソースの各々が、前記１つのフルセットのピア発見伝送専用のリソース内のｎ個のマクロブロックのうちの異なるマクロブロック内で選択され、前記リソースの各々が、複数の直交周波数分割多重（ＯＦＤＭ）シンボルを備える、Ｃ１に記載の方法。
［Ｃ７］  ｍがｎ−１に等しく、前記送信することが、第２〜第ｎのマクロブロック内の前記リソース上で前記ｎ−１個のデータセットを送信することを備え、前記方法が、
第１のマクロブロック内の前記リソース上で第１のデータセットを送信することを控えることと、
前記第１のマクロブロック内に送信されたピア発見信号をリッスンすることと
をさらに備える、Ｃ６に記載の方法。
［Ｃ８］  前記第１のマクロブロック内で受信された前記ピア発見信号に基づいて、ピア発見用に使用する前記リソースを決定することをさらに備える、Ｃ７に記載の方法。
［Ｃ９］  データをｎ個のデータセットに分割するための手段であって、ｎが２以上である、手段と、
１つのフルセットの伝送のリソースのセット内で前記データセットの各々を送信するためのホッピングパターンに基づいて、リソース識別子に関連付けられたｎ個の異なるリソースを選択するための手段であって、前記選択されたｎ個のリソースが、前記リソース識別子以外のリソース識別子に関連付けられたリソースと時間的に重複しない、前記ｎ個のリソースのうちの少なくとも１つのリソースが存在するようなホッピングパターンを有する、手段と、
前記１つのフルセットの伝送内のｍ個の伝送内でｍ個の選択されたリソース上でｍ個のデータセットを送信するための手段であって、ｍがｎ以下である、手段と
を備える、ワイヤレス通信用の装置。
［Ｃ１０］  前記データがピア発見データであり、前記伝送がピア発見伝送であり、前記リソース識別子がピア発見リソース識別子である、Ｃ９に記載の装置。
［Ｃ１１］  前記選択されたｎ個のリソースが、前記リソース識別子以外のリソース識別子に関連付けられたリソースと時間的に重複しない、前記ｎ個のリソースのうちのｎ−Ｋ個のリソースが存在するようなホッピングパターンを有し、Ｋが１以上の整数である、Ｃ９に記載の装置。
［Ｃ１２］  ＫがＮSK-1＜ＮT≦ＮSKであるように定義され、ＮSがセグメントの数であり、ＮTがサブキャリアの数である、Ｃ１１に記載の装置。
［Ｃ１３］  ＮSがｐmに等しく、ｐが素数であり、ｍが正の整数である、Ｃ１２に記載の装置。
［Ｃ１４］  前記ｎ個のリソースの各々が、前記１つのフルセットのピア発見伝送専用のリソース内のｎ個のマクロブロックのうちの異なるマクロブロック内で選択され、前記リソースの各々が、複数の直交周波数分割多重（ＯＦＤＭ）シンボルを備える、Ｃ９に記載の装置。
［Ｃ１５］  ｍがｎ−１に等しく、前記送信するための手段が、第２〜第ｎのマクロブロック内の前記リソース上で前記ｎ−１個のデータセットを送信し、前記装置が、
第１のマクロブロック内の前記リソース上で第１のデータセットを送信することを控えるための手段と、
前記第１のマクロブロック内に送信されたピア発見信号をリッスンするための手段と
をさらに備える、Ｃ１４に記載の装置。
［Ｃ１６］  前記第１のマクロブロック内で受信された前記ピア発見信号に基づいて、ピア発見用に使用する前記リソースを決定するための手段をさらに備える、Ｃ１５に記載の装置。
［Ｃ１７］  データをｎ個のデータセットに分割することであって、ｎが２以上である、分割することと、
１つのフルセットの伝送のリソースのセット内で前記データセットの各々を送信するためのホッピングパターンに基づいて、リソース識別子に関連付けられたｎ個の異なるリソースを選択することであって、前記選択されたｎ個のリソースが、前記リソース識別子以外のリソース識別子に関連付けられたリソースと時間的に重複しない、前記ｎ個のリソースのうちの少なくとも１つのリソースが存在するようなホッピングパターンを有する、選択することと、
前記１つのフルセットの伝送内のｍ個の伝送内でｍ個の選択されたリソース上でｍ個のデータセットを送信することであって、ｍがｎ以下である、送信することと
を行うためのコードを備えるコンピュータ可読媒体を備える、コンピュータプログラム製品。
［Ｃ１８］  前記データがピア発見データであり、前記伝送がピア発見伝送であり、前記リソース識別子がピア発見リソース識別子である、Ｃ１７に記載のコンピュータプログラム製品。
［Ｃ１９］  前記選択されたｎ個のリソースが、前記リソース識別子以外のリソース識別子に関連付けられたリソースと時間的に重複しない、前記ｎ個のリソースのうちのｎ−Ｋ個のリソースが存在するようなホッピングパターンを有し、Ｋが１以上の整数である、Ｃ１７に記載のコンピュータプログラム製品。
［Ｃ２０］  ＫがＮSK-1＜ＮT≦ＮSKであるように定義され、ＮSがセグメントの数であり、ＮTがサブキャリアの数である、Ｃ１９に記載のコンピュータプログラム製品。
［Ｃ２１］  ＮSがｐmに等しく、ｐが素数であり、ｍが正の整数である、Ｃ２０に記載のコンピュータプログラム製品。
［Ｃ２２］  前記ｎ個のリソースの各々が、前記１つのフルセットのピア発見伝送専用のリソース内のｎ個のマクロブロックのうちの異なるマクロブロック内で選択され、前記リソースの各々が、複数の直交周波数分割多重（ＯＦＤＭ）シンボルを備える、Ｃ１７に記載のコンピュータプログラム製品。
［Ｃ２３］  ｍがｎ−１に等しく、前記送信するためのコードが、第２〜第ｎのマクロブロック内の前記リソース上で前記ｎ−１個のデータセットを送信し、前記コンピュータ可読媒体が、
第１のマクロブロック内の前記リソース上で第１のデータセットを送信することを控えることと、
前記第１のマクロブロック内に送信されたピア発見信号をリッスンすることと
を行うためのコードをさらに備える、Ｃ２２に記載のコンピュータプログラム製品。
［Ｃ２４］  前記コンピュータ可読媒体が、前記第１のマクロブロック内で受信された前記ピア発見信号に基づいて、ピア発見用に使用する前記リソースを決定するためのコードをさらに備える、Ｃ２３に記載のコンピュータプログラム製品。
［Ｃ２５］  データをｎ個のデータセットに分割することであって、ｎが２以上である、分割することと、
１つのフルセットの伝送のリソースのセット内で前記データセットの各々を送信するためのホッピングパターンに基づいて、リソース識別子に関連付けられたｎ個の異なるリソースを選択することであって、前記選択されたｎ個のリソースが、前記リソース識別子以外のリソース識別子に関連付けられたリソースと時間的に重複しない、前記ｎ個のリソースのうちの少なくとも１つのリソースが存在するようなホッピングパターンを有する、選択することと、
前記１つのフルセットの伝送内のｍ個の伝送内でｍ個の選択されたリソース上でｍ個のデータセットを送信することであって、ｍがｎ以下である、送信することと
を行うように構成された処理システムを備える、ワイヤレス通信用の装置。
［Ｃ２６］  前記データがピア発見データであり、前記伝送がピア発見伝送であり、前記リソース識別子がピア発見リソース識別子である、Ｃ２５に記載の装置。
［Ｃ２７］  前記選択されたｎ個のリソースが、前記リソース識別子以外のリソース識別子に関連付けられたリソースと時間的に重複しない、前記ｎ個のリソースのうちのｎ−Ｋ個のリソースが存在するようなホッピングパターンを有し、Ｋが１以上の整数である、Ｃ２５に記載の装置。
［Ｃ２８］  ＫがＮSK-1＜ＮT≦ＮSKであるように定義され、ＮSがセグメントの数であり、ＮTがサブキャリアの数である、Ｃ２７に記載の装置。
［Ｃ２９］  ＮSがｐmに等しく、ｐが素数であり、ｍが正の整数である、Ｃ２８に記載の装置。
［Ｃ３０］  前記ｎ個のリソースの各々が、前記１つのフルセットのピア発見伝送専用のリソース内のｎ個のマクロブロックのうちの異なるマクロブロック内で選択され、前記リソースの各々が、複数の直交周波数分割多重（ＯＦＤＭ）シンボルを備える、Ｃ２５に記載の装置。
［Ｃ３１］  ｍがｎ−１に等しく、前記処理システムが、第２〜第ｎのマクロブロック内の前記リソース上で前記ｎ−１個のデータセットを送信するように構成され、前記処理システムが、
第１のマクロブロック内の前記リソース上で第１のデータセットを送信することを控えることと、
前記第１のマクロブロック内に送信されたピア発見信号をリッスンすることと
を行うように構成された、Ｃ３０に記載の装置。
［Ｃ３２］  前記処理システムが、前記第１のマクロブロック内で受信された前記ピア発見信号に基づいて、ピア発見用に使用する前記リソースを決定するようにさらに構成された、Ｃ３１に記載の装置。
【図１】
0005882459.tif 000008
【図２】
0005882459.tif 000009
【図３】
0005882459.tif 000010
【図４】
0005882459.tif 000011
【図５】
0005882459.tif 000012
【図６】
0005882459.tif 000013
【図７】
0005882459.tif 000014
【図８】
0005882459.tif 000015
【図９】
0005882459.tif 000016
【図１０】
0005882459.tif 000017
【図１１】
0005882459.tif 000018
【図１２】
0005882459.tif 000019
【図１３】
0005882459.tif 000020
【図１４】
0005882459.tif 000021
【図１５】
0005882459.tif 000022